(57)【要約】【課題】災害発生有無に応じてユーザの個人情報を効率的に送信する。【解決手段】ユーザ（被災者）が保持する携帯端末１０の探索モード実行部１６が、緊急地震速報を受信したか否かに応じて、ＷｉＦｉ設定情報の所定のデータ格納領域（IEEE802.11ヘッダ）に、携帯端末１０の識別情報（ＳＳＩＤ）を格納させて送信するか、所有者情報を格納させて送信するかを制御する。また、探索モード実行部１６は、緊急地震速報を受信したか否かに応じて、Bluetoothパケットのデータ格納領域（ペイロード）に、携帯端末１０の識別情報（デバイス情報等）を格納させて送信するか、所有者情報を格納させて送信するかを制御する。【選択図】図３
2017069593.tif 000002
【特許請求の範囲】
【請求項１】
所定のフォーマットで無線信号を送信可能な無線端末における通信方法において、
前記無線端末のコンピュータが、
災害発生に関する通信信号を未受信か受信済みかに応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、
ことを特徴とする通信方法。
【請求項２】
前記無線端末は、異なる通信範囲の複数の電波を用いて、異なるフォーマットの無線信号を送信することを特徴とする請求項１に記載の通信方法。
【請求項３】
前記ユーザの個人情報には、前記無線端末が検出した前記ユーザの状況を示す情報が含まれることを特徴とする請求項１又は２記載の通信方法。
【請求項４】
前記無線端末のコンピュータは、
更に、前記ユーザによる所定の入力の有無、及び／又は前記無線端末による電話発信の可否に応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、ことを特徴とする請求項１〜３のいずれか一項に記載の通信方法。
【請求項５】
所定のフォーマットで無線信号を送信可能な無線端末の通信を制御する通信プログラムにおいて、
前記無線端末のコンピュータに、
災害発生に関する通信信号を未受信か受信済みかに応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、
処理を実行させることを特徴とする通信プログラム。
【請求項６】
無線信号を送信する無線端末であって、
所定のフォーマットで無線信号を送信する送信部と、
災害発生に関する通信信号を未受信か受信済みかに応じて、前記所定のフォーマットの所定のデータ格納領域に、前記無線端末の識別情報を格納して前記送信部に送信させるか、前記所定のフォーマットの所定のデータ格納領域に、設定された前記無線端末のユーザの個人情報を格納して前記送信部に送信させるかを制御する制御部と、
を備える無線端末。
【発明の詳細な説明】
【技術分野】
【０００１】
本発明は、通信方法、通信プログラム、及び無線端末に関する。
【背景技術】
【０００２】
従来、緊急時に、車載装置において緊急を示す文字列で構成されるＳＳＩＤを設定し、車載装置と通信可能な携帯端末において該ＳＳＩＤが選択された場合に車載装置から携帯端末へ緊急情報（地図情報など）を配信する技術が知られている（例えば、特許文献１等参照）。
【先行技術文献】
【特許文献】
【０００３】
【特許文献１】特開２０１４−７６４９号公報
【発明の概要】
【発明が解決しようとする課題】
【０００４】
しかしながら、上記技術は、災害時等の緊急時に多くの人に避難経路などの必要な情報を提供するためのものであり、被災者の探索等に利用できるような技術ではない。
【０００５】
１つの側面では、本発明は、災害発生有無に応じてユーザの個人情報を効率的に送信することが可能な通信方法、通信プログラム、及び無線端末を提供することを目的とする。
【課題を解決するための手段】
【０００６】
一つの態様では、所定のフォーマットで無線信号を送信可能な無線端末における通信方法において、前記無線端末のコンピュータが、災害発生に関する通信信号を未受信か受信済みかに応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、通信方法である。
【発明の効果】
【０００７】
災害発生有無に応じてユーザの個人情報を効率的に送信することができる。
【図面の簡単な説明】
【０００８】
【図１】一実施形態に係る被災者探索システムの構成を概略的に示す図である。
【図２】図２（ａ）は、携帯端末のハードウェア構成を示す図であり、図２（ｂ）は、ハンディターミナルのハードウェア構成を示す図である。
【図３】携帯端末及びハンディターミナルの機能について説明するための図である。
【図４】図４（ａ）は、ＷｉＦｉ設定情報を示す図であり、図４（ｂ）は、Bluetooth（登録商標）パケットを示す図である。
【図５】第２通信部と第３通信部の電波範囲を模式的に示す図である。
【図６】携帯端末による被災者探索モード起動処理について示すフローチャートである。
【図７】図６のステップＳ１６の具体的処理を示すフローチャートである。
【図８】携帯端末による被災者探索モード実行処理について示すフローチャートである。
【図９】ハンディターミナルの処理について示すフローチャートである。
【図１０】図１０（ａ）は、被災者探索画面を示す図であり、図１０（ｂ）は、１０ｍ範囲探索表示画面を示す図である。
【図１１】被災者詳細確認画面を示す図である。
【発明を実施するための形態】
【０００９】
以下、被災者探索システムの一実施形態について、図１〜図１１に基づいて詳細に説明する。
【００１０】
図１には、本実施形態に係る被災者探索システム１００の構成を概略的に示す図である。図１に示すように、被災者探索システム１００は、無線端末としての複数の携帯端末１０と、ハンディターミナル５０とを備える。なお、被災者探索システム１００は、複数のハンディターミナル５０を備えていてもよいが、本実施形態では説明の便宜上、１つのハンディターミナル５０を備えているものとする。図１において、携帯端末１０とハンディターミナル５０は、１ｘ／３Ｇ／４Ｇ（ＬＴＥ：Long Term Evolution）などのモバイル通信規格にてネットワーク８０に接続されている。
【００１１】
携帯端末１０は、携帯電話やスマートフォンなどであり、図２（ａ）に示すようなハードウェア構成を有する。図２（ａ）に示すように、携帯端末１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、表示部９３、入力部９５、可搬型記憶媒体用ドライブ９９、センサ群８４、第１通信部８１、送信部としての第２通信部８２及び第３通信部８３等を備えている。表示部９３は液晶ディスプレイ等を含み、入力部９５は、タッチパネルやキーボード、入力ボタン等を含む。
【００１２】
第１通信部８１は、例えば１ｘ／３Ｇ／４Ｇ（ＬＴＥ）などの通信規格に則った通信を行い、通話やインターネットへの接続を可能にする。第２通信部８２は、ＷｉＦｉ（Wireless Fidelity）などの無線通信規格に則った通信を行う。ここで、第２通信部８２がIEEE802.11フレームの場合、フレームのフォーマット（ＷｉＦｉ設定情報）は、図４（ａ）に示すように、ＰＬＣＰ（Physical Layer Convergence Protocol）プリアンブル、ＰＬＣＰヘッダ、ＰＳＤＵ（Physical Layer Service Data Unit）を含む。ＰＬＣＰプリアンブルは、ＰＳＤＵの先頭に付加される同期信号のビット列であり、ＰＬＣＰヘッダは、変調方式（伝送速度）、データ長などの情報を含む。ＰＳＤＵは、データ格納領域としてのIEEE802.11ヘッダ、データ、ＦＣＳ（Frame check sequence Status）を含む。IEEE802.11ヘッダには、通常、ＳＳＩＤが格納される。
【００１３】
第３通信部８３は、Bluetooth（登録商標）などの近距離無線通信規格に則った通信を行う。Bluetoothパケットは、図４（ｂ）に示すように、アクセス・コード、ヘッダ、及びペイロードを含む。アクセス・コードは、物理チャネルのパケットの同調、ＤＣオフセット補正、識別、Bluetoothシステムでのページング、問い合わせ、パーク動作に使用される。ヘッダには、パケット・タイプなどのリンク制御情報が含まれる。ペイロードには、デバイス名称や制御情報が含まれる。
【００１４】
図２に戻り、携帯端末１０の構成各部は、バス９８に接続されている。携帯端末１０では、ＲＯＭ９２あるいはＨＤＤ９６に格納されているプログラム（通信プログラムを含む）、或いは可搬型記憶媒体用ドライブ９９が可搬型記憶媒体９１から読み取ったプログラム（通信プログラムを含む）をＣＰＵ９０が実行することにより、図３に示す、状態判定部１２、起動制御部１４、制御部としての探索モード実行部１６、の機能が実現されている。
【００１５】
状態判定部１２は、外部から入力される情報に基づいて、携帯端末１０のユーザが地震などで被災したかどうかを判定する。また、状態判定部１２は、センサ群８４の検出結果に基づいて、ユーザが携帯端末１０を保持しているか否かやユーザの負傷レベルなどを判定する。ここで、センサ群８４には、図３に示すように、一例として、歩数計センサ２２、加速度センサ２４、近接センサ２６、温度センサ２８、心拍数センサ３０等が含まれている。歩数計センサ２２は、３軸加速度センサ等を含み、ユーザの歩数やユーザの大きな動きを検出する。加速度センサ２４は、歩数計センサ２２の３軸加速度センサとは別に設けられていてもよいし、歩数計センサ２２の３軸加速度センサを共用してもよい。加速度センサ２４は、携帯端末１０を保持するユーザの小さな動きを検出するために用いられる。近接センサ２６は、物体の接近を検知するセンサであり、例えばユーザの顔が接近したか否かを検知したり、ユーザの小さな動きを検知するために用いられる。なお、近接センサ２６は、遮蔽物により覆われるとユーザの動きを検出できないため、本実施形態では、加速度センサ２４と近接センサ２６を併用してユーザの小さな動きを検出することとしている。温度センサ２８は、携帯端末１０を保持するユーザの体温を検出する。心拍数センサ３０は、光電脈波法等を用いて心拍数を計測するセンサである。なお、センサ群８４は、その他のセンサ、例えば光度計、マイクロフォン、角速度センサ、ＧＰＳ（Global Positioning System）センサなどを含んでいてもよい。
【００１６】
起動制御部１４は、状態判定部１２の判定結果に基づいて、被災者探索モードを起動する。ここで、被災者探索モードとは、周辺のハンディターミナル５０に情報を送信し、ハンディターミナル５０のユーザ（探索実行者）に対して、被災者の携帯端末１０が近傍に存在することを認知させるモードである。
【００１７】
探索モード実行部１６は、起動制御部１４により被災者探索モードが起動された場合に、被災者探索モードを実行する。なお、被災者探索モードでは、第２通信部８２及び第３通信部８３による通信モードを起動する。ここで、図５に示すように、第２通信部８２の通信範囲（半径ａの電波範囲）は、第３通信部８３の通信範囲（半径ｂの電波範囲）よりも広くなっている。例えば、第２通信部８２の通信範囲（半径ａ）は、およそ１００ｍであり、第３通信部８３の通信範囲（半径ｂ）は、およそ１０ｍであるものとする。なお、各通信部の通信範囲は、遮蔽物の存在等によって変化する。
【００１８】
図１に戻り、ハンディターミナル５０は、被災者探索専用の機器、あるいは携帯電話やスマートフォン、ＰＣ（Personal Computer）等であり、図２（ｂ）に示すようなハードウェア構成を有する。図２（ｂ）に示すように、ハンディターミナル５０は、ＣＰＵ１９０、ＲＯＭ１９２、ＲＡＭ１９４、記憶部（ＨＤＤ）１９６、表示部１９３、入力部１９５、可搬型記憶媒体用ドライブ１９９、第１通信部１８１、第２通信部１８２、第３通信部１８３等を備えている。第１〜第３通信部１８１〜１８３は、携帯端末１０の第１〜第３通信部８１〜８３と同様となっている。これらハンディターミナル５０の構成各部は、バス１９８に接続されている。なお、ハンディターミナル５０は、携帯端末１０と同様、センサ群を有していてもよい。
【００１９】
ハンディターミナル５０では、ＲＯＭ１９２あるいはＨＤＤ１９６に格納されているプログラム、或いは可搬型記憶媒体用ドライブ１９９が可搬型記憶媒体１９１から読み取ったプログラムをＣＰＵ１９０が実行することにより、図３に示す、画面表示部５２、探索部５６、制御部５４の機能が実現されている。
【００２０】
画面表示部５２は、制御部５４の指示の下、表示部１９３上に図１０（ａ）〜図１１に示すような画面を表示する。探索部５６は、制御部５４の指示の下、第２通信部１８２や第３通信部１８３を用いて、近傍に位置する携帯端末１０と通信する。この場合、通信した携帯端末１０が被災者探索モードに設定されている場合には、当該携帯端末１０を被災者が保持する端末として特定する。制御部５４は、ハンディターミナル５０のユーザ（探索実行者）からの入力を受け付け、該入力等に基づいて画面表示部５２や探索部５６を統括的に制御する。
【００２１】
次に、携帯端末１０とハンディターミナル５０の処理について、図６〜図９のフローチャートに沿って、その他適宜図面を参照しつつ詳細に説明する。
【００２２】
（携帯端末１０の処理）
まず、携帯端末１０の処理について、図６〜図８のフローチャートに沿って説明する。図６は、携帯端末１０の被災者探索モード起動処理を示すフローチャートである。図７は、図６のステップＳ１６の具体的処理を示すフローチャートである。また、図８は、携帯端末１０が、図６の処理と同時並行的に実行する被災者探索モード実行処理を示すフローチャートである。
【００２３】
＜被災者探索モード起動処理＞
以下、図６のフローチャートに沿って、被災者探索モード起動処理について説明する。なお、図６の処理の前提として、ユーザは、ユーザが携帯端末１０を保持していなくても被災者探索モードを起動するか否かを予め設定しているものとする。また、ユーザは、携帯端末１０が所定の条件を満たした段階で、被災者探索モードが即時設定されてもよいか否かを予め設定しているものとする。なお、即時設定されるべきでない場合には、条件を満たした後被災者探索モードに設定されるまでの時間が予め設定されているものとする。
【００２４】
図６の処理では、まず、ステップＳ１０において、状態判定部１２が、被災者探索モードが手動で起動されたか否かを判断する。このステップＳ１０の判断が否定された場合には、ステップＳ１２に移行し、状態判定部１２は、緊急地震速報を受信したか否かを判断する。ステップＳ１２の判断が否定された場合には、状態判定部１２は、ステップＳ１０に戻るが、肯定された場合には、ステップＳ１４に移行する。
【００２５】
ステップＳ１４に移行すると、状態判定部１２は、電話発信することが可能か否か、すなわち、携帯電話回線の基地局が地震によって倒壊していないかどうかを判断する。ここでは、状態判定部１２は、第１通信部８１が３Ｇや４Ｇ（ＬＴＥ）の電波を受信できているかどうかを判断する。このステップＳ１４の判断が肯定された場合（地震が発生したが電話発信できる場合）には、状態判定部１２はステップＳ１０に戻る。一方、ステップＳ１４の判断が否定された場合（地震が発生したため電話発信できない場合）には、状態判定部１２はステップＳ１６に移行する。なお、ステップＳ１０の判断が肯定された場合、すなわちユーザが自らの意思で被災者探索モードを起動した場合には、ステップＳ１２、Ｓ１４を経ずに、ステップＳ１６に移行する。
【００２６】
ステップＳ１６に移行すると、状態判定部１２は、保持状態、負傷レベル判定処理を実行する。具体的には、状態判定部１２は、図７のフローチャートに沿った処理を実行する。
【００２７】
図７の処理では、まず、ステップＳ３０において、状態判定部１２は、ユーザが携帯端末１０を操作しているか否かを判断する。例えば、入力部９５を介して、ユーザが何らかの入力操作を行っている場合には、ステップＳ３０の判断が肯定されて、ステップＳ４２に移行する。ステップＳ４２に移行すると、状態判定部１２は、負傷レベルを「低」に設定するとともに、ステップＳ４８に移行し、ユーザが携帯端末１０を保持していると判定し、図７の処理を終了する（図６のステップＳ１８に移行する）。なお、ユーザが携帯端末１０の操作を行うことができる場合は、ユーザに意識があり、細かい操作が可能であることを意味するので、本実施形態では、負傷レベルを「低」に設定することとしている。
【００２８】
一方、ステップＳ３０の判断が否定された場合、すなわちユーザが携帯端末１０を操作していない場合には、ステップＳ３２に移行し、状態判定部１２は、歩数計センサ２２がユーザの大きな動きを検知しているか否かを判断する。このステップＳ３２の判断が肯定された場合には、状態判定部１２は、ステップＳ４２、Ｓ４８において、負傷レベルを「低」に設定するとともに、ユーザが携帯端末１０を保持していると判定し、図６のステップＳ１８に移行する。なお、ユーザの大きな動きを検知している場合は、歩行等ができている場合を意味すると考えられるので、本実施形態では、負傷レベルを「低」に設定することとしている。
【００２９】
これに対し、ステップＳ３２の判断が否定された場合には、ステップＳ３４に移行し、状態判定部１２は、加速度センサ２４と近接センサ２６の組合せにより、ユーザの小さな動きを検知しているか否かを判断する。このステップＳ３４の判断が肯定された場合には、状態判定部１２は、ステップＳ４４、Ｓ４８において、負傷レベルを「中」に設定するとともに、ユーザが携帯端末１０を保持していると判定し、図６のステップＳ１８に移行する。なお、ユーザの小さな動きしか検知できない場合は、ほぼ身動きができない場合を意味すると考えられるので、本実施形態では、負傷レベルを「中」に設定することとしている。
【００３０】
一方、ステップＳ３４の判断が否定された場合には、ステップＳ３６に移行し、状態判定部１２は、温度センサ２８がユーザの体温を検知しているか、又は心拍数センサ３０がユーザの心拍数を検知しているかを判断する。このステップＳ３６の判断が肯定された場合、状態判定部１２は、ステップＳ４６、Ｓ４８において、負傷レベルを「高」に設定するとともに、ユーザが携帯端末１０を保持していると判定し、図６のステップＳ１８に移行する。なお、ユーザの動きを検知しないが、体温や心拍を検知できる場合には、全く動けないが生命活動は維持されている場合を意味すると考えられるので、本実施形態では、負傷レベルを「高」に設定することとしている。
【００３１】
これに対し、ステップＳ３６の判断が否定された場合には、ステップＳ３８に移行する。ステップＳ３８では、状態判定部１２が、携帯端末１０が他の機器（例えば、腕時計型の端末）と短距離通信（例えば、第３通信部８３による通信）を行っているか否かを判断する。このステップＳ３８の判断が肯定された場合、ステップＳ４６、Ｓ４８において、負傷レベルを「高」に設定するとともに、ユーザが携帯端末１０を保持していると判定し、図６のステップＳ１８に移行する。なお、ユーザの動き、体温や心拍を検知できないが、ユーザの近傍に携帯端末１０が存在している場合、ユーザが心肺停止状態にある可能性が高いことを意味するので、本実施形態では、負傷レベルを「高」に設定することとしている。
【００３２】
一方、ステップＳ３８の判断が否定された場合には、ステップＳ４０に移行し、状態判定部１２は、ユーザが携帯端末１０を保持していないと判定し、図６のステップＳ１８に移行する。
【００３３】
図６に戻り、ステップＳ１８に移行すると、起動制御部１４は、ステップＳ１６の処理の結果、ユーザが携帯端末１０を保持していると判定されたか否かを判断する。このステップＳ１８の判断が肯定された場合には、ステップＳ２２に移行するが、否定された場合には、ステップＳ２０に移行する。
【００３４】
ステップＳ２０に移行すると、起動制御部１４は、携帯端末１０において、ユーザが保持していなくても起動するように予め設定されているか否かを判断する。このステップＳ２０の判断が否定された場合には、起動制御部１４は、被災者探索モードを起動せずに、ステップＳ１０に戻る。一方、ステップＳ２０の判断が肯定された場合には、起動制御部１４は、ステップＳ２２に移行する。
【００３５】
ステップＳ２２に移行すると、起動制御部１４は、携帯端末１０において、被災者探索モードの起動が「即時」と予め設定されているか否かを判断する。このステップＳ２２の判断が肯定された場合には、ステップＳ２６に移行し、起動制御部１４は、被災者探索モードを起動する。
【００３６】
一方、ステップＳ２２の判断が否定された場合には、ステップＳ２４に移行し、起動制御部１４は、予め設定されている所定時間だけ経過するまで待機する。そして、所定時間経過した段階で、ステップＳ２６において、起動制御部１４は、被災者探索モードを起動する。ステップＳ２６の後は、図６の全処理を終了する。
【００３７】
以上のように、図６、図７の処理が実行されることで、被災者探索モードが手動で起動された場合や、地震が発生し、電話発信ができなくなった場合に、携帯端末１０において被災者探索モードが起動される。また、被災者探索モードが起動される前には、ユーザが携帯端末１０を保持しているか否かやユーザの負傷レベルが判定されるようになっている。
【００３８】
＜被災者探索モード実行処理＞
次に、携帯端末１０において図６の処理と同時並行的に実行される被災者探索モード実行処理について、図８のフローチャートに沿って説明する。なお、図８の処理が実行される前提として、携帯端末１０のＨＤＤ９６には、ユーザによって入力されたユーザの個人情報（例えば、氏名、性別、年齢、住所）が予め格納されているものとする。
【００３９】
図８の処理において、ステップＳ６０では、探索モード実行部１６が、被災者探索モードが起動されるまで待機する。すなわち、図６の処理において、ステップＳ２６の処理が実行された段階で、探索モード実行部１６は、ステップＳ６２に移行する。
【００４０】
ステップＳ６２に移行すると、探索モード実行部１６は、図４（ａ）のＷｉＦｉ設定情報のIEEE802.11ヘッダに格納されているＳＳＩＤを、携帯端末１０の所有者情報で置き換える。また、探索モード実行部１６は、図４（ｂ）のBluetoothパケットのペイロードに格納されているデバイス名称を、携帯端末１０の所有者情報で置き換える。ここで、ＷｉＦｉ設定情報に含まれるＳＳＩＤは３２文字、Bluetoothパケットのデバイス名称は１２４文字まで置き換えることができる。したがって、本実施形態では、探索モード実行部１６は、ＨＤＤ９６に格納されているユーザの個人情報（例えば、「富士太郎、男、１９歳、奈良市」）とステップＳ１６（図７）の処理で判定された負傷レベル（例えば「低」）とを組み合わせた所有者情報を、ＳＳＩＤやデバイス名称と置き換えることとする。
【００４１】
次いで、ステップＳ６４では、探索モード実行部１６が、第２通信部８２の通信モード（ＷｉＦｉ通信モード）を起動する。次いで、ステップＳ６６では、探索モード実行部１６が、第３通信部８３の通信モード（Bluetooth通信モード）を起動する。次いで、ステップＳ６８では、探索モード実行部１６が、インターネット共有（デザリング）を起動する。これにより、携帯端末１０は、図５に示すように、半径ａの範囲で第２通信部８２を用いた他の端末との通信が可能となり、半径ｂの範囲で第３通信部８３を用いた他の端末との通信が可能となる。
【００４２】
次いで、ステップＳ７０では、探索モード実行部１６が、第１通信部８１の通信を停止する。すなわち、１ｘや３Ｇ、４Ｇ(ＬＴＥ)などの通信を停止する。これにより、携帯端末１０が基地局を探索することにより電池が消耗するのを抑制することができる。ただし、これに限らず、例えば、図６の処理において被災者探索モードが手動で起動されたような場合（Ｓ１０：肯定の場合）には、第１通信部８１の通信を停止しないようにしてもよい。
【００４３】
（ハンディターミナル５０の処理）
次に、ハンディターミナル５０の処理について、図９のフローチャートに沿って説明する。
【００４４】
図９の処理では、まず、ステップＳ８０において、制御部５４が、被災者探索処理を開始するか否かを判断する。この場合、ユーザ（探索実行者）が入力部１９５を介して被災者探索処理を実行する旨の入力を行った段階で、ステップＳ８０の判断が肯定され、ステップＳ８２に移行する。なお、例えば、制御部５４が緊急地震速報を受信した段階や電話発信できなくなった段階で、被災者探索処理を開始すると判断し、ステップＳ８２に移行するようにしてもよい。
【００４５】
ステップＳ８２に移行すると、画面表示部５２は、制御部５４の指示の下、被災者探索画面を表示する。具体的には、画面表示部５２は、図１０（ａ）に示すような、「１０ｍ範囲探索」、「１００ｍ範囲探索」、「終了」の各ボタンが表示された被災者探索画面を表示部９３上に表示する。
【００４６】
次いで、ステップＳ８４では、制御部５４が、いずれかのボタンが押されるまで待機する。制御部５４は、探索実行者によっていずれかのボタンが押されたという情報を取得すると、ステップＳ８６に移行し、押されたボタンが「１０ｍ範囲探索」ボタン又は「１００ｍ範囲探索」ボタンのいずれかであるかを判断する。このステップＳ８６の判断が否定された場合、すなわち、「終了」ボタンが押された場合には、図９の全処理（被災者探索処理）を終了する。
【００４７】
一方、ステップＳ８６の判断が肯定された場合には、ステップＳ８８に移行し、探索部５６が、制御部５４の指示の下、指定された探索範囲内を探索する。例えば、「１００ｍ範囲探索」ボタンが押された場合には、探索部５６は、第２通信部１８２の通信モード（ＷｉＦｉ通信モード）を起動し、半径ａの範囲に存在する被災者探索モードが実行されている携帯端末１０との間で通信を行う。また、例えば、「１０ｍ範囲探索」ボタンが押された場合には、探索部５６は、第３通信部１８３の通信モード（Bluetooth通信モード）を起動する。そして、探索部５６は、半径ｂの範囲に存在する被災者探索モードが実行されている携帯端末１０との間で通信を行う。ここでは、一例として、「１０ｍ範囲探索」ボタンが押され、１５人分の携帯端末１０との通信が行われたものとする。なお、当該通信により、探索部５６は、１５人分の携帯端末１０から所有者情報（氏名、性別、年齢、住所、負傷レベル）が格納されたBluetoothパケットを取得することができる。
【００４８】
次いで、ステップＳ９０では、画面表示部５２が、制御部５４の指示の下、探索表示画面を表示する。具体的には、画面表示部５２は、図１０（ｂ）に示すような画面を表示する。図１０（ｂ）においては、１０ｍ範囲内被災者数として、ステップＳ８８で取得できたBluetoothパケットの数（図１０（ｂ）では、１５）を表示する。また、図１０（ｂ）の画面には、「被災者詳細確認」ボタンと「戻る」ボタンが設けられている。
【００４９】
次いで、ステップＳ９２では、制御部５４が、いずれかのボタンが押されるまで待機する。制御部５４は、探索実行者によっていずれかのボタンが押されたという情報を取得すると、ステップＳ９４に移行し、押されたボタンが「被災者状態詳細確認」ボタンであるかを判断する。このステップＳ９４の判断が否定された場合、すなわち、「戻る」ボタンが押された場合には、制御部５４は、ステップＳ８２に戻る。一方、ステップＳ９４の判断が肯定された場合には、ステップＳ９６に移行し、画面表示部５２は、制御部５４の指示の下、被災者状態詳細確認画面を表示する。具体的には、画面表示部５２は、図１１に示すような、ステップＳ８８において取得した所有者情報を纏めた表と、「戻る」ボタン及び「終了」ボタンと、が表示された画面を表示部１９３上に表示する。これにより、探索実行者は、１０ｍ範囲内に存在する被災者の情報（氏名、性別、年齢、住所の情報や、負傷レベル）を認識することが可能となる。したがって、探索実行者は、被災者の情報に基づいて効率的に被災者を探索したり、救助することが可能となる。
【００５０】
次いで、ステップＳ９８では、制御部５４が、いずれかのボタンが押されるまで待機する。制御部５４は、探索実行者によっていずれかのボタンが押されたという情報を取得すると、ステップＳ１００に移行し、押されたボタンが「戻る」ボタンであるかを判断する。ここでの判断が肯定された場合には、制御部５４は、ステップＳ９０に戻る。一方、「終了」ボタンが押され、ステップＳ１００の判断が否定された場合には、図９の全処理を終了する。
【００５１】
なお、探索実行者が図１０（ａ）の画面において「１００ｍ範囲探索」ボタンを押した場合には、探索部５６は、第２通信部１８２の通信モード（ＷｉＦｉ通信モード）を起動する。そして、探索部５６は、半径ａの範囲に存在する被災者探索モードが実行されている携帯端末１０との間で通信を行う。この通信により、探索部５６は、携帯端末１０から所有者情報（氏名、性別、年齢、住所、負傷レベル）が格納されたＷｉＦｉ設定情報を取得することができる。
【００５２】
なお、探索実行者は、例えば、最初に図１０（ａ）の画面において「１００ｍ範囲探索」ボタンを押して探索を実行し、探索された被災者の人数が多い場合に、「１０ｍ範囲探索」ボタンを押して探索を実行するようにすることができる。これにより、効率よく被災者の探索を実行することができる。
【００５３】
以上のように、ハンディターミナル５０において、図９の処理が実行されることで、周辺にいる被災者の個人情報を探索実行者に認知させることができる。
【００５４】
以上、詳細に説明したように、本実施形態によると、携帯端末１０の探索モード実行部１６が、緊急地震速報を受信したか否か（Ｓ１２）に応じて、ＷｉＦｉ設定情報の所定のデータ格納領域（IEEE802.11ヘッダ）に、携帯端末１０の識別情報（ＳＳＩＤ）を格納させて送信するか、所有者情報を格納させて送信するかを制御する。また、探索モード実行部１６は、緊急地震速報を受信したか否か（Ｓ１２）に応じて、Bluetoothパケットのデータ格納領域（ペイロード）に、携帯端末１０の識別情報（デバイス情報等）を格納させて送信するか、所有者情報を格納させて送信するかを制御する。これにより、本実施形態では、災害が発生した場合に、ＷｉＦｉ設定情報やBluetoothパケットを用いて、所有者情報を他の端末（ハンディターミナル５０）に対して送信することが可能となる。この場合、他の端末（ハンディターミナル５０）において、所有者情報を閲覧可能に表示することで、近傍に存在する被災者の詳細な情報を他の端末のユーザ（探索実行者）に認知させることができる。また、通常（災害時以外）は携帯端末１０のＳＳＩＤやデバイス名称が格納される領域を用いて、ユーザの個人情報を送信するので、別途ユーザの個人情報を送信する必要がなく、効率的な処理を行うことが可能である。
【００５５】
また、本実施形態では、被災者は、大声を出したり、物音を立てたり、防災用の笛を吹いたりしなくても、周囲の探索実行者に自らの存在をアピールすることができる。また、ＷｉＦｉやBluetoothを用いるため、トラフィックの増加や基地局の倒壊などとは無関係に、ハンディターミナル５０との間で通信を行うことができ、利便性が高い。また、探索実行者は、大声を出したり、被災者が出す音に耳を傾けたりしなくても、被災者が周辺に存在するかどうかを知ることができる。また、探索実行者は、瓦礫の下に埋まっている人の人数や負傷レベルを把握できるため、救助隊への適格な要請を行うことができる。
【００５６】
また、本実施形態では、携帯端末１０は、被災者探索モードにおいて、異なる通信範囲（電波範囲）の複数の電波（ＷｉＦｉやBluetooth）を用いて、異なるフォーマットの無線信号を送信するようにしている。これにより、ハンディターミナル５０では、広い通信範囲に存在する被災者の情報と、狭い通信範囲に存在する被災者の情報を、表示することが可能である。
【００５７】
また、本実施形態では、所有者情報には、携帯端末１０のセンサ群８４が検出したユーザの状況を示す情報として負傷レベルが含まれている。これにより、探索実行者は、負傷レベルに基づいて被災者を効率よく探索したり、救出したりすることが可能となる。
【００５８】
また、本実施形態では、ユーザが手動で被災者探索モードを起動したか否かや、電話発信可能か否か（基地局が倒壊していないかどうか）に基づいて、被災者探索モードを起動することとしている。これにより、適切なタイミングで、被災者探索モードを起動することが可能となる。
【００５９】
なお、上記実施形態では、携帯端末１０が、第２通信部８２と第３通信部８３を備え、異なる通信範囲の複数の電波を用いて、異なるフォーマットの無線信号を送信する場合について説明した。しかしながら、これに限らず、携帯端末１０は、１つの電波（例えばＷｉＦｉ又はBluetooth）を用いて所定のフォーマットの無線信号を送信するのみでもよい。
【００６０】
また、上記実施形態では、携帯端末１０のセンサ群８４が検出したユーザの状況を示す情報が、負傷レベルである場合について説明したが、これに限られるものではない。例えば、ユーザの状況を示す情報が、ユーザの周囲の明るさを示す情報や、ユーザの周囲の音の大きさを示す情報であってもよい。この場合、ユーザの周囲が暗く、かつ周囲の音が小さい場合には、ユーザが瓦礫に埋もれている可能性が高いという情報をハンディターミナル５０に送信するようにしてもよい。
【００６１】
なお、上記実施形態では、所有者情報に負傷レベルが含まれている場合について説明したが、必ずしも所有者情報に負傷レベルが含まれていなくてもよい。
【００６２】
なお、上記実施形態では、ユーザの個人情報として、２０１６年度から実施されるマイナンバー制度で利用される１２桁のマイナンバーを用いてもよい。この場合、ハンディターミナル５０では、マイナンバーを管理するデータサーバ等にアクセスして、取得したマイナンバーに対応する個人情報を抽出し、表示部１９３上に表示するようにしてもよい。
【００６３】
なお、上記実施形態では、ハンディターミナル５０が第１通信部１８１を有する場合について説明したが、これに限らず、ハンディターミナル５０は、第１通信部１８１を有していなくてもよい。
【００６４】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００６５】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００６６】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００６７】
上述した実施形態は本発明の好適な実施の例である。但し、これに限定されるものではなく、本発明の要旨を逸脱しない範囲内において種々変形実施可能である。
【００６８】
なお、以上の実施形態の説明に関して、更に以下の付記を開示する。
（付記１）  所定のフォーマットで無線信号を送信可能な無線端末における通信方法において、
前記無線端末のコンピュータが、
災害発生に関する通信信号を未受信か受信済みかに応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、
ことを特徴とする通信方法。
（付記２）  前記無線端末は、異なる通信範囲の複数の電波を用いて、異なるフォーマットの無線信号を送信することを特徴とする付記１に記載の通信方法。
（付記３）  前記ユーザの個人情報には、前記無線端末が検出した前記ユーザの状況を示す情報が含まれることを特徴とする付記１又は２記載の通信方法。
（付記４）  前記無線端末のコンピュータは、
更に、前記ユーザによる所定の入力の有無、及び／又は前記無線端末による電話発信の可否に応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、ことを特徴とする付記１〜３のいずれかに記載の通信方法。
（付記５）  所定のフォーマットで無線信号を送信可能な無線端末の通信を制御する通信プログラムにおいて、
前記無線端末のコンピュータに、
災害発生に関する通信信号を未受信か受信済みかに応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、
処理を実行させることを特徴とする通信プログラム。
（付記６）  前記無線端末は、異なる通信範囲の複数の電波を用いて、異なるフォーマットの無線信号を送信することを特徴とする付記５に記載の通信プログラム。
（付記７）  前記ユーザの個人情報には、前記無線端末が検出した前記ユーザの状況を示す情報が含まれることを特徴とする付記５又は６記載の通信プログラム。
（付記８）  前記無線端末のコンピュータに、
前記ユーザによる所定の入力の有無、及び／又は前記無線端末による電話発信の可否に応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、処理を更に実行させることを特徴とする付記５〜７のいずれかに記載の通信プログラム。
（付記９）  無線信号を送信する無線端末であって、
所定のフォーマットで無線信号を送信する送信部と、
災害発生に関する通信信号を未受信か受信済みかに応じて、前記所定のフォーマットの所定のデータ格納領域に、前記無線端末の識別情報を格納して前記送信部に送信させるか、前記所定のフォーマットの所定のデータ格納領域に、設定された前記無線端末のユーザの個人情報を格納して前記送信部に送信させるかを制御する制御部と、
を備える無線端末。
（付記１０）  前記送信部は、異なる通信範囲の複数の電波を用いて、異なるフォーマットの無線信号を送信することを特徴とする付記９に記載の無線端末。
（付記１１）  前記ユーザの個人情報には、前記無線端末が検出した前記ユーザの状況を示す情報が含まれることを特徴とする付記９又は１０に記載の無線端末。
（付記１２）  前記制御部は、前記ユーザによる所定の入力の有無、及び／又は前記無線端末による電話発信の可否に応じて、前記所定のフォーマットの所定のデータ格納領域に、前記無線端末の識別情報を格納させて送信するか、前記所定のフォーマットの所定のデータ格納領域に、設定された前記無線端末のユーザの個人情報を格納させて送信するかを制御する、ことを特徴とする付記９〜１１のいずれかに記載の無線端末。
【符号の説明】
【００６９】
１０  携帯端末（無線端末）
１６  探索モード実行部（制御部）
８２  第２通信部（送信部）
８３  第３通信部（送信部）
９０  ＣＰＵ（コンピュータ）
【図１】
2017069593.tif 000003
【図２】
2017069593.tif 000004
【図３】
2017069593.tif 000005
【図４】
2017069593.tif 000006
【図５】
2017069593.tif 000007
【図６】
2017069593.tif 000008
【図７】
2017069593.tif 000009
【図８】
2017069593.tif 000010
【図９】
2017069593.tif 000011
【図１０】
2017069593.tif 000012
【図１１】
2017069593.tif 000013